(57)【要約】      （修正有）【課題】簡単にパターから脱落することなく、カート移動時の振動や衝撃により、パターフェースが他のパターやクラブなどと接触して傷つくことを防止できる保護カバーを提供する。【解決手段】パターフェース面を覆うのに十分な大きさの板状部２ａと該板状部２ａの下部に設けられた縁部２ｂより構成され、その横断面が略Ｌ字型である保護プレート、当該プレートのパターフェースと接する面に設けられる脱落防止部材３および当該プレートの縁部の先端両端側に、押さえ部材４を設けてなる。【選択図】図４
0003152228.tif 000002
【実用新案登録請求の範囲】
【請求項１】
パターフェース面を覆うのに十分な大きさの板状部と当該板状部の下部に設けられた縁部より構成され、その横断面が略Ｌ字型である保護プレート、当該プレートのパターフェースと接する面に設けられる脱落防止部材および当該プレートの縁部の先端両端側に、押さえ部材を設けてなるパターフェース用保護カバー。
【請求項２】
脱落防止部材が、皮革、発泡体、ウレタン、エラストマーまたは繊維で形成されたものである請求項１記載のパターフェース用保護カバー。
【請求項３】
脱落防止部材が、磁性シートで形成されたものである請求項１記載のパターフェース用保護カバー。
【請求項４】
少なくとも、押さえ部材が、弾性プラスチック、弾性金属材料またはこれらの複合物である請求項１ないし３の何れかの項記載のパターフェース用保護カバー。
【考案の詳細な説明】
【技術分野】
【０００１】
本考案は、パターフェース用保護カバーに関し、更に詳細には、スパイダー型パターと呼ばれるパターに特に適したパターフェース用保護カバーに関する。
【背景技術】
【０００２】
ゴルフ競技で用いられるパターは、その使用性がゴルフの成績に直結するため、種々の形状のパターが開発され、改良が加えられている。例えば、古くは「Ｌ型パター」と呼ばれるパターが使用されていたが、その後、「ピン型パター」、「マレット型パター」、「２ボールパター」など新しい形状のパターが次々と出現し、人気を博している。
【０００３】
そして、これらのパターには、それに対応した形状のパターカバーが提供され、パターフェース等に傷が付くことを防いでいる。すなわち、パターフェース面は一般に比較的軟らかい金属で成形されていることが多く、カート移動時の振動や衝撃により、他のパターやクラブなどと接触して傷つくことがあるため、少なくともパターフェースを覆うパターカバーが利用されていた（特許文献１ないし４等）。
【０００４】
ところで、最近スパイダー型パターと呼ばれるパターが発売され、好評を博している。このスパイダー型パター１０は、図１および２に示すように、パターフェース１１と大きく張り出したウイング１２およびこれらを支持する大型のフレーム１３とを有することが特徴で、徹底した周辺重量配分により慣性モーメントを大きくしたため、打ち出したボールの直進性が大きく、ミスヒットしにくいとされている。
【０００５】
しかしながら、このパターには、上記のように形状が大きいため、そのパターカバーも自然と大きくならざるを得ないという欠点があった。すなわち、パターカバーとして上記のパターフェース１１、ウイング１２およびフレーム１３を覆うためには、かなり大きなものとならざるを得ず、パターの際の取り外しや、持ち運び等に極めて不便であった。
【先行技術文献】
【特許文献】
【０００６】
【特許文献１】実開昭５０−１４６６６５号
【特許文献２】実開昭６３−１６３８５９号
【特許文献３】特開２００１−３５３２４５号
【特許文献４】実用新案登録第３０６７７１５号
【考案の概要】
【考案が解決しようとする課題】
【０００７】
本考案は、上記したパターカバー、特に、スパイダー型パター用のパターカバーの有する、形状が大きく、取り外しや持ち運びが不便という欠点を解消することが本考案の課題である。
【課題を解決するための手段】
【０００８】
本考案者は、スパイダー型パター用のパターカバーに関し、鋭意検討を行っていたところ、スパイダー型パターの特徴的形状に着目すれば、最も重要なパターフェース面の保護には、大きなパターカバーは不要であり、小さな保護カバーで十分であることを見出し、本考案に至った。
【０００９】
すなわち、本考案は、パターフェース面を覆うのに十分な大きさの板状部と当該板状部の下部に設けられた縁部より構成され、その横断面が略Ｌ字型である保護プレート、当該プレートのパターフェースと接する面に設けられる脱落防止部材および当該プレートの縁部の先端左右に、押さえ部材を設けてなるパターフェース用保護カバーである。
【考案の効果】
【００１０】
本考案のパターフェース用保護カバーは、スパイダー型パターの構造に即したシンプルな構造でありながら、脱落防止部材と押さえ部材の働きにより簡単にパターから脱落しないため、カート移動時の振動や衝撃により、パターフェースが他のパターやクラブなどと接触して傷つくことを十分に防止できるものである。
【００１１】
また、その大きさもパターフェースとほぼ同じであるため、パット時においてもポケット等に簡単に入れることができ、従来のパターカバーのように、取り外しや、持ち運び等に不便となることもないものである。
【図面の簡単な説明】
【００１２】
【図１】スパイダー型パターを示す平面図である。
【図２】スパイダー型パターの斜視図である。
【図３】本考案のパターフェース用保護カバーの正面図である。
【図４】本考案のパターフェース用保護カバーの背面図である。
【図５】図４のＡ−Ａ’断面図である。
【考案を実施するための形態】
【００１３】
次に、本考案のパターフェース用保護カバーについて、その一態様を示す図面と共に更に詳しく説明する。
【００１４】
図３は、本考案のパターフェース用保護カバーの正面図、図４はその背面図であり、図５は、図４のＡ−Ａ'の断面図である。図中、１はパターフェース用保護カバー、２は保護プレート、３は脱落防止部材、４は押さえ部材をそれぞれ示す。
【００１５】
本考案のパターフェース用保護カバー１は、スパイダー型パター１０のパターフェース１１に装着し、これを保護するものである。この保護カバー１は、保護プレート２と、この内側に設けられた脱落防止部材３および保護プレート２の縁部２ｂに設けられた、押さえ部材４より構成される。
【００１６】
このうち保護プレート２は、板状部２ａと、その下端に沿って連続的に設けられた縁部２ｂで構成され、その横断面は、大略Ｌ字型となる。この保護プレートは、ある程度の強度と弾性があり、加工性の良い材料、例えば、プラスチックや、木材で構成されていることが好ましく、特に、上記したように板状部２ａと縁部２ｂで構成されることから、プラスチックの成型品などを利用することが好ましい。
【００１７】
また、この保護プレート２の内側に設けられる脱落防止部材３は、保護カバー１を装着したときに、パターフェース１１に接するものであり、脱落防止部材３とパターフェース１１の間に生じる力と後記押さえ部材４により、保護カバー１の脱落を防止するものである。
【００１８】
具体的な脱落防止部材３の材料例として、皮革、発泡体、ウレタン、エラストマー、繊維等の摩擦力を有するものが挙げられる。このような材料を使用した場合は、それらの有する摩擦力と、反対側の押さえ部材４により、パターフェース１１からの保護カバー１の脱落が防止できる。脱落防止部材３の別の例としては、磁性シートが挙げられる。この磁性シートは、パターフェース１１が鉄など磁性がある材料の場合に有効である。脱落防止部材３は、これら材料を短独で使用しても良いが、２種以上の材料を組み合わせ、例えば積層した構成としても良い。
【００１９】
本考案の保護カバー１においては、保護プレート２の縁部２ｂの先端に押さえ部材４が設けられる。この押さえ部材４は、前記した脱落防止部材３と協働して、保護カバー１がパターフェース１１から脱落することを防ぐものである。この押さえ部材４は、図１に示すスパイダー型パター１０の、ウイング１２およびフレーム１３が形成する空間において、パターフェース１１に接するものであり、保護プレート縁部２ｂの端部に、右側および左側の２つの空間に対応して左右に２つ設けられる。
【００２０】
この押さえ部材４は、保護プレート２と同一素材で一体に成形しても良いし、また別の素材で成形して保護プレート２に固着させてても良いが、弾性により、脱落防止部材３と共にパターフェース１１を挟み込むものであるから、例えば、ある程度の弾性と強度を有する弾性プラスチックや、弾性金属材料あるいはこれらの複合物を利用することが好ましい。また、この押さえ部材の大きさも、保護カバー１がパターフェース１１から脱落しない程度の大きさの片であれば良く、例えば、その高さは、板状部２ａの高さの１／３ないし２／３程度、合計した幅は、板状部２ａの１／６ないし１／３程度であればよい。
【００２１】
次に、本考案の保護カバー１の使用方法について説明する。
【００２２】
本考案の保護カバー１をスパイダー型パター１０に装着するには、そのパターフェース１１の下側を、脱落防止部材３および押さえ部材４で形成する空間に、縁部２ｂがパターフェース１１の下辺部に当たるまで差し込む。このように装着すると、一見脱落しやすく思えるが、まず、脱落防止部材３および押さえ部材４の摩擦力（あるいは磁力）の力が働き、また、一般にパターを搬送する場合は、ヘッドを上に向けるので、簡単に脱落することはない。
【００２３】
また、パターの際の取り外しは、単に力を入れてパターフェース１１から保護カバー１を取り外せば良く、取り外したパターカバーは、ポケットに入れたり、あるいは、カートのカゴ等に入れておけばよい。
【産業上の利用可能性】
【００２４】
本考案のパターフェース用保護カバー１は、スパイダー型パター１０のパターフェース１１に密着し、容易に脱落しないものであり、また、その形も大きくないものである。
【００２５】
このように、本考案のパターフェース用保護カバー１は、従来のスパイダー型パターのパターカバーと比べて小さく、また機能的であるため、その代替品として使用しうるものである。
【符号の説明】
【００２６】
１  …  …  パターフェース用保護カバー
２  …  …  保護プレート
２ａ  …  板状部
２ｂ  …  縁部
３  …  …  脱落防止部材
４  …  …  押さえ部材
１０  …  …  スパイダー型パター
１１  …  …  パターフェース
１２  …  …  ウイング
１３  …  …  フレーム
１４  …  …  シャフト
１５  …  …  ウエイト調整部
【図１】
0003152228.tif 000003
【図２】
0003152228.tif 000004
【図３】
0003152228.tif 000005
【図４】
0003152228.tif 000006
【図５】
0003152228.tif 000007